(57)【要約】【課題】コスト削減が図れ、かつ、コンパクト性に優れ、製造や保守もしやすいスケルトン型低圧配電盤を提供する。【解決手段】本考案は、略直方体状に形成されるメインフレーム１１と、該メインフレーム１１の略直方体状内に形成されるサブフレーム１２、１２’と、該サブフレーム１２、１２’に取り付けられる差込型漏電アラーム機能付き遮断器１６、１６’と、該メインフレーム１１上部に取り付けられる制御回路ユニット１５とからなるスケルトン型低圧配電盤１０において、該メインフレーム１１の全周面には透明保護板１３、１４が取り付けられることを特徴とする。【選択図】      図１
0003131499.tif 000002
【実用新案登録請求の範囲】
【請求項１】
略直方体状に形成されるメインフレームと、該メインフレームの略直方体状内に形成されるサブフレームと、該サブフレームに取り付けられる差込型漏電アラーム機能付き遮断器と、該メインフレーム上部に取り付けられる制御回路ユニットとからなるスケルトン型低圧配電盤において、
該メインフレームの全周面には透明保護板が取り付けられることを特徴とするスケルトン型低圧配電盤。
【請求項２】
該透明保護板はポリカーボネート製であることを特徴とする請求項１に記載のスケルトン型低圧配電盤。
【請求項３】
該透明保護板はだるま落とし穴によって該メインフレームの全周面に取り付けられることを特徴とする請求項１又は請求項２に記載のスケルトン型低圧配電盤。
【請求項４】
該だるま落とし穴は該透明保護板の左右両端に設けられることを特徴とする請求項３に記載のスケルトン型低圧配電盤。
【請求項５】
該だるま落とし穴は該透明保護板の左右の重量バランスが等しい中間点に設けられることを特徴とする請求項３又は請求項４に記載のスケルトン型低圧配電盤。
【考案の詳細な説明】
【技術分野】
【０００１】
本考案は、受電施設等において用いられるスケルトン型低圧配電盤に関する。
【背景技術】
【０００２】
従来閉鎖型の配電盤においては、鉄製の扉等が設けられる構成となっている。例えば、特許文献１（特開２００３−２１９５１５号公報）には、前面に開口部を有する筐体と、長方形の取り付け部材を有し前記筐体内部に対する受電分岐を行う受電分岐ユニットとを備え、前記開口部には扉が配置された盤装置が記載されている。
【特許文献１】特開２００３−２１９５１５号公報
【考案の開示】
【考案が解決しようとする課題】
【０００３】
上記のような従来の配電盤においては、鉄製の扉等を用いる構成となっているので、保守を行う上では扉を空けた上で行わなければならず保守性がよくない、という問題があった。また、鉄製の扉は、価格も高いために配電盤のコストダウンを図ることが難しいという問題があった。また、鉄製の扉は重く、取り扱いにくいので製造時の作業効率がダウンする、という問題があった。また、従来の配電盤は、鉄製で重厚長大であり、スペースパフォーマンスが悪い、という問題もあった。
【０００４】
以上、従来の配電盤においては、総じて、製造上の問題、コスト上の問題、保守性の問題、さらにスペース上の問題、といった様々な問題を抱えるものであった。
【課題を解決するための手段】
【０００５】
このような課題を解決するために、請求項１に係る考案は、略直方体状に形成されるメインフレームと、該メインフレームの略直方体状内に形成されるサブフレームと、該サブフレームに取り付けられる差込型漏電アラーム機能付き遮断器と、該メインフレーム上部に取り付けられる制御回路ユニットとからなるスケルトン型低圧配電盤において、該メインフレームの全周面には透明保護板が取り付けられることを特徴とする。
【０００６】
また、請求項２に係る考案は、請求項１に記載のスケルトン型低圧配電盤において、該透明保護板はポリカーボネート製であることを特徴とする。
【０００７】
また、請求項３に係る考案は、請求項１又は請求項２に記載のスケルトン型低圧配電盤において、該透明保護板はだるま落とし穴によって該メインフレームの全周面に取り付けられることを特徴とする。
【０００８】
また、請求項４に係る考案は、請求項３に記載のスケルトン型低圧配電盤において、該だるま落とし穴は該透明保護板の左右両端に設けられることを特徴とする。
【０００９】
また、請求項５に係る考案は、請求項３又は請求項４に記載のスケルトン型低圧配電盤において、該だるま落とし穴は該透明保護板の左右の重量バランスが等しい中間点に設けられることを特徴とする。
【考案の効果】
【００１０】
本考案のスケルトン型低圧配電盤によれば、鉄製の扉等を用いることなく、透明保護板によってスケルトン型低圧配電盤内外を隔絶する構成となっているので、視認性に優れ保守が容易となる。また、透明保護板は、鉄製の扉などに比べて価格も安いので、スケルトン型低圧配電盤のコストダウンを図ることができる。また、透明保護板は重量も軽く、取り扱いが簡便となるので製造時の作業効率が向上する。
【００１１】
さらに、本考案のスケルトン型低圧配電盤によれば、差込型漏電アラーム機能付き遮断器が採用されるので、スケルトン型低圧配電盤１０をコンパクトに構成することができる。また、遮断器の電源側に接続する分岐導帯の製作、取り付け作業が不要となり、スケルトン型低圧配電盤１０の製造工程が簡易となる。また、遮断器増設・仕様変更などのときには、分岐導帯の母線へのねじ締め作業や遮断器の電源側端子のねじ締め作業が不要となり、作業性が向上する。
【００１２】
また、本考案のスケルトン型低圧配電盤によれば、だるま落とし穴をビス穴とする透明保護板が用いられるので、一人の作業員によっても透明保護板の取り付け・取り外しを容易に行うことができる。
【考案を実施するための最良の形態】
【００１３】
以下、本考案の実施の形態を図面を参照しつつ説明する。図１は本考案の実施の形態に係るスケルトン型低圧配電盤を正面から見た概略を示す図であり、図２は本考案の実施の形態に係るスケルトン型低圧配電盤正面付近の図１Ａ−Ａ’断面を示す図である。
【００１４】
図１及び図２において、１０はスケルトン型低圧配電盤、１１はメインフレーム、１２、１２’はサブフレーム、１３は第1正面透明保護板、１４は第２正面透明保護板、１５は制御回路ユニット、１６、１６’は差込型漏電アラーム機能付き遮断器、１７、１７’は目隠し板、１９はビス、２３は第１側面透明保護板、２４は第２側面透明保護板をそれぞれ示している。
【００１５】
スケルトン型低圧配電盤１０の主要骨格部はＬ字型鋼材で組まれたメインフレーム１１からなっている。当該メインフレーム１１は概略直方体形状をしており、その内部空間に遮断器などの電気設備を収容するものである。
【００１６】
メインフレーム１１の内部空間には図示するようにサブフレーム１２、１２’が設けられており、このサブフレーム１２、１２’に差込型漏電アラーム機能付き遮断器１６、１６’が取り付けられる。このような差込型漏電アラーム機能付き遮断器１６、１６’は、差込型漏電アラーム機能付き遮断器１６、１６’の不図示のプラグを主母線に直接差し込む構造となっており、主母線からの分岐導帯が不要となっているので、差込型漏電アラーム機能付き遮断器１６、１６’電源側の分岐導帯スペースが不要となり、スケルトン型低圧配電盤１０のサイズをコンパクト化することができる。また、本考案では、遮断器として差込型漏電アラーム機能付き遮断器１６、１６’を用いるので、遮断器の電源側に接続する分岐導帯の製作、取り付け作業が不要となり、スケルトン型低圧配電盤１０の製作時間を短縮できるというメリットがある。
【００１７】
また、スケルトン型低圧配電盤１０における遮断器増設・仕様変更などのときには、分岐導帯の母線へのねじ締め作業や遮断器の電源側端子のねじ締め作業が不要となり、作業員による作業性が向上するので、の作業時間を短縮することができる。
【００１８】
サブフレーム１２、１２’間の差込型漏電アラーム機能付き遮断器１６、１６’が設けられていない箇所には、目隠し板１７、１７’が取り付けられ、スケルトン型低圧配電盤１０正面からの異物部侵入を防止している。また、スケルトン型低圧配電盤１０における遮断器増設の際には、増設箇所の目隠し板１７を取り外し、当該箇所に差込型漏電アラーム機能付き遮断器１６を介挿することで対応できるので、作業性効率が非常に高い。
【００１９】
スケルトン型低圧配電盤１０内のサブフレーム１２、１２’外の空間Ｒは、不図示の主母線等が引き回されるための空間として用いられる。
【００２０】
スケルトン型低圧配電盤１０内のメインフレーム１１の上部には、制御回路ユニット１５が設けられる。
【００２１】
スケルトン型低圧配電盤１０正面には、差込型漏電アラーム機能付き遮断器１６の開閉操作手段領域外をカバーするように、第1正面透明保護板１３及び第２正面透明保護板１４が設けられている。また、スケルトン型低圧配電盤１０の側面は、その全面にわたって第１側面透明保護板２３、第２側面透明保護板２４が設けられている。また、図示省略しているが、スケルトン型低圧配電盤１０裏面にも、同様の透明保護板が設けられる。
【００２２】
第1正面透明保護板１３、第２正面透明保護板１４、第１側面透明保護板２３、第２側面透明保護板２４などの透明保護板としては、透明なポリカーボネート板が用いられる。本考案に係るスケルトン型低圧配電盤１０においては、このようなポリカーボネート板にて略全周面がカバーされるような構成となっているので、保守点検においては透明保護板を外すことなく容易に、差込型漏電アラーム機能付き遮断器１６、不図示の主母線などの電気設備の目視点検を行うことが可能となる。
【００２３】
材料としてポリカーボネートは、電気的な絶縁性に優れており、このようなポリカーボネート製の透明保護板は、充電部に接触しても電気事故の心配はない。
【００２４】
通常の配電盤は、鉄製の扉を設けて内部電気設備をカバーするように構成するが、本考案のスケルトン型低圧配電盤１０ではこのような透明保護板によってスケルトン型低圧配電盤１０を隔絶するような構成となっているので、コストを削減できる、というメリットがある。また、透明保護板は、鉄製の扉などに比べて重量も軽く、取り扱いが簡便となるので製造時の作業効率が向上する。
【００２５】
次に、本考案における透明保護板のメインフレーム１１への取り付け作業について説明する。図３は、本考案の実施の形態に係るスケルトン型低圧配電盤の透明保護板を示す図である。図３は、図１及び図２に示される第1正面透明保護板１３を抜き出して示したものである。また、図３においては、第1正面透明保護板１３をメインフレーム１１に取り付けるために形成されるビス穴２０の一つが拡大され示されている。図３に示されるように、本考案における透明保護板のビス穴はだるま落とし穴が用いられる。このようなだるま落とし穴によれば、透明保護板の取り付け・取り外しの作業性が大幅に向上する。透明保護板のビス穴は全て、だるま落とし穴であってもよいが、一部だけだるま落とし穴であってもよい。透明保護板のビス穴の一部だけをだるま落とし穴とするときは、透明保護板１３の両端のビス穴２０、２０’’、透明保護板１３の左右の重量バランスが等しい中間点のビス穴２０’をだるま落とし穴とすることが望ましい。
【００２６】
透明保護板１３の両端のビス穴２０、２０’’をだるま落とし穴とすることによって、透明保護板１３をメインフレーム１１に取り付ける際の作業性を向上できる。また、透明保護板１３の左右の重量バランスが等しい中間点のビス穴２０’ をだるま落とし穴とすることによって、透明保護板１３をメインフレーム１１から取り外す際の作業性を向上できる。
【００２７】
スケルトン型低圧配電盤１０の取り付けの時は複数の作業員が工事を行うが、保守点検の場合などには一人の作業員が単独で対応するような場合がある。このような場合において、だるま落とし穴が形成された透明保護板１３を用いると、一人の作業員によっても作業性が非常に良好である。
【００２８】
以上、本考案のスケルトン型低圧配電盤によれば、鉄製の扉等を用いることなく、透明保護板によってスケルトン型低圧配電盤内外を隔絶する構成となっているので、視認性に優れ保守が容易となる。また、透明保護板は、鉄製の扉などに比べて価格も安いので、スケルトン型低圧配電盤のコストダウンを図ることができる。また、透明保護板は重量も軽く、取り扱いが簡便となるので製造時の作業効率が向上する。
【００２９】
さらに、本考案のスケルトン型低圧配電盤によれば、差込型漏電アラーム機能付き遮断器が採用されるので、スケルトン型低圧配電盤１０をコンパクトに構成することができる。また、遮断器の電源側に接続する分岐導帯の製作、取り付け作業が不要となり、スケルトン型低圧配電盤１０の製造工程が簡易となる。また、遮断器増設・仕様変更などのときには、分岐導帯の母線へのねじ締め作業や遮断器の電源側端子のねじ締め作業が不要となり、作業性が向上する。
【００３０】
また、本考案のスケルトン型低圧配電盤によれば、だるま落とし穴をビス穴とする透明保護板が用いられるので、一人の作業員によっても透明保護板の取り付け・取り外しを容易に行うことができる。
【図面の簡単な説明】
【００３１】
【図１】本考案の実施の形態に係るスケルトン型低圧配電盤を正面から見た概略を示す図である。
【図２】本考案の実施の形態に係るスケルトン型低圧配電盤正面付近の図１Ａ−Ａ’断面を示す図である。
【図３】本考案の実施の形態に係るスケルトン型低圧配電盤の透明保護板を示す図である。
【符号の説明】
【００３２】
１０・・・スケルトン型低圧配電盤、１１・・・メインフレーム、１２、１２’・・・サブフレーム、１３・・・第1正面透明保護板、１４・・・第２正面透明保護板、１５・・・制御回路ユニット、１６、１６’・・・差込型漏電アラーム機能付き遮断器、１７、１７’・・・目隠し板、１９・・・ビス、２０・・・ビス穴、２３・・・第１側面透明保護板、２４・・・第２側面透明保護板
【図１】
0003131499.tif 000003
【図２】
0003131499.tif 000004
【図３】
0003131499.tif 000005